(57)【要約】【目的】  取付レールに対する支持部材の差込み箇所が確認しやすく、また支持部材および被取付物の落下や位置ずれを防ぐことのできる新しい壁面取付構造を提供する。【構成】  壁（１）に設けられた取付レール（２）と、取付レール（２）に着脱自在に取り付けられる支持部材（３）とを備え、取付レール（２）の差込溝（２１）に支持部材（３）の差込片（３２）を差し込み、この支持部材（３）を介して被取付物（４）を壁面に取付け支持する壁面取付構造において、取付レール（２）を、その差込溝（２１）の開口上端から垂下した第一フランジ部（２５）と、差込溝（２１）の開口内から前方に突出した先端膨張部（２６１）付き軸支持部（２６）とを有するものとし、支持部材（３）を、取付レール（２）の第一フランジ部（２５）に係合する第一係合部（３２１）と、取付レール（２）の軸支持部（２６）の先端膨張部（２６１）に係合する第二係合部（３２２）とからなる差込片（３２）を有するものとする。【選択図】図１
2005040449.tif 000002
【特許請求の範囲】
【請求項１】
壁に設けられた取付レールと、取付レールに着脱自在に取り付けられる支持部材とを備え、取付レールの差込溝に支持部材の差込片を差し込み、この支持部材を介して被取付物を壁面に取付け支持する壁面取付構造であって、
取付レールは、前記差込溝の上端から垂下した第一フランジ部と、前記差込溝の内部から前方に突出した先端膨張部付き軸支持部とを有しており、支持部材は、取付レールの第一フランジ部に係合する第一係合部と、取付レールの軸支持部の先端膨張部に係合する第二係合部とからなる前記差込片を有していることを特徴とする壁面取付構造。
【請求項２】
支持部材の第一係合部は、取付レールの第一フランジ部と前記差込溝の上壁面とに当接する階段状部を有していることを特徴とする請求項１に記載の壁面取付構造。
【請求項３】
取付レールの第一フランジ部は、その内側に内方に傾斜したかかり面を有しており、支持部材の第一係合部は、このかかり面に当接する面を有していることを特徴とする請求項１または２に記載の壁面取付構造。
【請求項４】
取付レールは、前記差込溝の下端から垂下した第二フランジ部をさらに有しており、支持部材は、この第二フランジ部に係合する係合突部をさらに有していることを特徴とする請求項１ないし３のいずれかに記載の壁面取付構造。
【請求項５】
取付レールの第二フランジ部は、その下端に外方に下がり傾斜したかかり面を有しており、支持部材の係合突部は、このかかり面に当接する上端面を有していることを特徴とする請求項４に記載の壁面取付構造。
【請求項６】
支持部材の第一係合部は、取付レールの第一フランジ部に係合された状態において当該第一フランジ部を押える押え金具をさらに有していることを特徴とする請求項１ないし５のいずれかに記載の壁面取付構造。
【請求項７】
取付レールの第一フランジ部は、支持部材の第一係合部に係合された状態において当該第一係合部を押える押え金具をさらに有していることを特徴とする請求項１ないし５のいずれかに記載の壁面取付構造。
【発明の詳細な説明】
【技術分野】
【０００１】
この出願の発明は、壁面取付構造に関するものである。さらに詳しくは、この出願の発明は、棚や小物入れ等を壁面に取り付ける際に有用な、取付けを容易ならしめ、且つ取付け後の位置ずれや落下を効果的に防ぐことのできる、新しい壁面取付構造に関するものである。
【背景技術】
【０００２】
従来、室内の壁面に子棚や小物入れ等の家具を取り付ける場合、木ネジや接着剤がしばしば用いられていた。
【０００３】
しかしながら、木ネジによる家具の取付けには工具が必要であり、位置を変更する際も同様の作業が必要になると同時に、家具を外した後の壁面にネジ跡が残り室内の美観を損なうという問題もあった。また、接着剤による家具の取付けは、取付け後に接着剤が完全に硬化乾燥するまで家具が使用できず、位置を変更する際には家具と壁面間に工具を挿入して剥がし取る作業が必要になると同時に、家具を外した後の壁面に汚れが残り室内の美観を損なうという問題もあった。
【０００４】
そこで、壁自体に係止溝付きレールを設け、これに係止部材を介して載置棚や収納箱等の被取付物を係止保持するようにしたものが既に提案されている（特許文献１参照）。
【特許文献１】特開２００２−３６４１０３号公報
【発明の開示】
【発明が解決しようとする課題】
【０００５】
しかしながら、上記特許文献１に記載されている構造では、レールの係止溝幅が狭いなどの理由から係止部材を差し込む場所を前方から確認し難く、また係止部材を差し込んだ後にそれを被取付物とともに回転させる際の回転視点も前方からは確認し難いといった課題があった。
【０００６】
そこで、以上のとおりの事情に鑑み、この出願の発明は、取付レールに対する支持部材の差込み箇所が確認しやすく、また人や物が触れたり地震等の揺れが生じたりしても支持部材および被取付物の落下や位置ずれを防ぐことのできる、新しい壁面取付構造を提供することを課題としている。
【課題を解決するための手段】
【０００７】
この出願の発明は、上記の課題を解決するものとして、第１には、壁に設けられた取付レールと、取付レールに着脱自在に取り付けられる支持部材とを備え、取付レールの差込溝に支持部材の差込片を差し込み、この支持部材を介して被取付物を壁面に取付け支持する壁面取付構造であって、取付レールは、前記差込溝の上端から垂下した第一フランジ部と、前記差込溝の内部から前方に突出した先端膨張部付き軸支持部とを有しており、支持部材は、取付レールの第一フランジ部に係合する第一係合部と、取付レールの軸支持部の先端膨張部に係合する第二係合部とからなる前記差込片を有していることを特徴とする壁面取付構造を提供する。
【０００８】
第２には、前記支持部材の前記第一係合部は、前記取付レールの前記第一フランジ部と前記差込溝の上壁面とに当接する階段状部を有していることを特徴とする壁面取付構造を提供する。
【０００９】
第３には、前記取付レールの前記第一フランジ部は、その内側に内方に傾斜したかかり面を有しており、前記支持部材の前記第一係合部は、このかかり面に当接する面を有していることを特徴とする壁面取付構造を提供する。
【００１０】
第４には、前記取付レールは、前記差込溝の下端から垂下した第二フランジ部をさらに有しており、前記支持部材は、この第二フランジ部に係合する係合突部をさらに有していることを特徴とする壁面取付構造を提供する。
【００１１】
第５には、前記取付レールの前記第二フランジ部は、その下端に外方に下がり傾斜したかかり面を有しており、前記支持部材の前記係合突部は、このかかり面に当接する上端面を有していることを特徴とする壁面取付構造を提供する。
【００１２】
第６には、前記支持部材の前記第一係合部は、前記取付レールの前記第一フランジ部に係合された状態において当該第一フランジ部を押える押え金具をさらに有していることを特徴とする壁面取付構造を提供する。
【００１３】
第７には、前記取付レールの前記第一フランジ部は、前記支持部材の前記第一係合部に係合された状態において当該第一係合部を押える押え金具をさらに有していることを特徴とする壁面取付構造を提供する。
【発明の効果】
【００１４】
上記第１の壁面取付構造によれば、棚等の家具を代表とする被取付物を壁面に取付け支持する支持部材の、壁に設けられた取付レールに対する差込み箇所が確認しやすく、また人や物が触れたり地震等の揺れが生じたりしても支持部材および被取付物の落下や位置ずれを効果的に防ぐことができる。
【００１５】
上記第２の壁面取付構造によれば、上記第１の構造と同様な効果が得られ、且つより強固な取付けを実現して、耐震性をさらに向上させることができる。
【００１６】
上記第３の壁面取付構造によれば、上記第１および第２の構造と同様な効果が得られ、さらに一層耐震性を向上させることができる。
【００１７】
上記第４の壁面取付構造によれば、上記第１〜第３の構造と同様な効果が得られ、且つより一層強固な取付けを実現して、耐震性をさらに向上させることができる。
【００１８】
上記第５の壁面取付構造によれば、上記第４の構造と同様な効果が得られ、さらに一層耐震性を向上させることができる。
【００１９】
上記第６の壁面取付構造によれば、上記第１〜第５の構造と同様な効果が得られ、耐震性のさらなる向上を図ることができる。
【００２０】
上記第７の壁面取付構造によれば、上記第１〜第５の構造と同様な効果が得られ、耐震性のさらなる向上を図ることができる。
【発明を実施するための最良の形態】
【００２１】
図１は、この出願の発明の一実施形態を示したものである。
【００２２】
たとえばこの図１に示したように、この出願の発明は、壁（１）に設けられた取付レール（２）と、取付レール（２）に着脱自在に取り付けられる支持部材（３）とを備え、取付レール（２）の差込溝（２１）に支持部材（３）の差込片（３２）を差し込み、この支持部材（３）を介して被取付物（４）を壁面に取付け支持する壁面取付構造において、取付レール（２）を、その差込溝（２１）の上端から垂下した第一フランジ部（２５）と、差込溝（２１）の内部から前方に突出した先端膨張部（２６１）付き軸支持部（２６）とを有するものとし、支持部材（３）を、取付レール（２）の第一フランジ部（２５）に係合する第一係合部（３２１）と、取付レール（２）の軸支持部（２６）の先端膨張部（２６１）に係合する第二係合部（３２２）とからなる差込片（３２）を有するものとすることで、棚等の家具を代表とする被取付物（４）の壁面への取付けを容易ならしめ、且つ取付け後の被取付物（４）の位置ずれや落下を効果的に防ぐことのできる構造を実現している。
【００２３】
この場合さらに説明すると、図１の実施形態では、まず、壁（１）は、壁下地材（１１）とその表面に取り付けられる壁板や壁パネル等の壁仕上材（１２）（１３）から構成されている。
【００２４】
取付レール（２）は、この壁（１）に対して、上方の壁仕上材（１２）と下方の壁仕上材（１３）との間にて水平方向に延びた断面略コ字形状の差込溝（２１）を有するものであり、その上面から立設した嵌挿突部（２２）および下面から垂下した嵌挿突部（２３）が上方の壁仕上材（１２）の下端部に設けられた嵌挿孔（１２１）と下方の壁仕上材（１３）の上端部に設けられた嵌挿孔（１３１）にそれぞれ嵌挿されて、両壁仕上材（１２）（１３）間に挟持され、且つ後面から上方へ延設した固定立片（２４）が壁下地材（１１）と上方の壁仕上材（１２）との間の隙間に挟み込まれるとともに固定ネジ（５）によって壁下地材（１１）にネジ固定されて、壁（１）に取り付けられている。
【００２５】
この取付レール（２）は、さらに、差込溝（２１）において第一フランジ部（２５）と先端膨張部（２６１）付き軸支持部（２６）とを有している。より具体的には、第一フランジ部（２５）は、差込溝（２１）の開口上端から下方に向かってある程度、つまり後述する支持部材（３）の差込片（３２）の第一係合部（３２１）との係合が可能になる程度延びた平板片状のもので、取付レール（２）を壁仕上材（１２）（１３）間に挟設する際に上方の壁仕上材（１２）の前方下端縁に引っ掛かるようにもなっている。また軸支持部（２６）は、差込溝（２１）の内部奥壁面から前方に向かって内部の途中位置、つまり後述する支持部材（３）の差込片（３２）の第二係合部（３２２）との係合が可能になる位置まで延び、その先端が丸く膨張した形状のものとなっている。先端膨張部（２６１）は断面円弧状であるとも言える。
【００２６】
一方、支持部材（３）は、まず、平板状の本体（３１）において、その後面上部から上方に突出して設けられた差込片（３２）と、後面下部から後方に突出して設けられた壁当て（３３）とを有し、且つその前面上部から前方に突出して設けられた押え板片（３４）と、押え板片（３４）より下方位置にて前方に突出して設けられた嵌挿突部（３５）と、嵌挿突部（３５）よりさらに下方位置にて前方に突出して設けられた支持片（３６）とを有している。これにおいて、上方の差込片（３２）を取付レール（２）の差込溝（２１）に差し込むとともに下方の壁当て（３３）を壁仕上材（１３）の壁面に当てることで、取付レール（２）に対して着脱自在に取り付けられ、また被取付物（４）を、押え板片（３４）と支持片（３６）との間に滑り込ませるとともにその後端部に設けられた嵌挿孔（４１）に嵌挿突部（３５）を嵌挿させることで、保持するようになっている。
【００２７】
この支持部材（３）は、さらに、差込片（３２）が第一係合部（３２１）と第二係合部（３２２）とを有するものとなっている。より具体的には、第一係合部（３２１）は、上方に延びた平板片状のもので、差込片（３２）が取付レール（２）の差込溝（２１）に差し込まれる際に上記第一フランジ部（２５）に対してその裏面に接して係合するようになっている。また第二係合部（３２２）は、後方に突出するとともに上方に湾曲したもの、より具体的には上記軸支持部（２６）の先端膨張部（２６１）の円弧形状と略同一円弧形状の凹みを有したもので、差込溝（２１）への差込み時に先端膨張部（２６１）の下面に接して係合するようになっている。そしてこれにおいて、差込片（３２）を差込溝（２１）に差し込む際には、第一係合部（３２１）を差込溝（２１）の開口に対して斜め下方から差し込むとともに第二係合部（３２２）を差込溝（２１）内の軸支持部（２６）の先端膨張部（２６１）にあてがい、その状態から先端膨張部（２６１）を軸として下方に、つまり下方の壁仕上材（１３）の壁面に向かって回動させる。これにより、第一係合部（３２１）は第一フランジ部（２５）の裏面に当接して係合し、第二係合部（３２２）は先端膨張部（２６１）に当接して係合することで、差込片（３２）全体が取付レール（２）の差込溝（２１）に入り込んでしっかりと係合した状態となり、支持部材（３）そのものが取付レール（２）に対して強固に取り付けられることとなる。
【００２８】
以上のように取り付けられた支持部材（３）は、人や物がそれ自体にもしくは被取付物（４）に触れたとしても、あるいは地震等の揺れが生じたとしても、第一フランジ部（２５）と第一係合部（３２１）との係合効果および軸支持部（２６）（先端膨張部（２６１））と第二係合部（３２２）との係合効果によって、さらには壁当て（３３）の壁仕上材（１３）の壁面への接触効果とも相まって、落下や位置ずれが極めて生じ難く、しっかりとした取付けを実現しているのである。また、取付レール（２）の差込溝（２１）内における軸支持部（２６）の存在により、差込片（３２）を差し込む際にその差込み位置が前方から確認しやすいといった効果も実現している。
【００２９】
図２は、この出願の発明の別の一実施形態を示したものである。
【００３０】
この図２の実施形態では、支持部材（３）の差込片（３２）を構成する第一係合部（３２１）が、取付レール（２）の第一フランジ部（２５）と差込溝（２１）の上壁面（２１１）とに当接する階段状部（３２１ａ）を有するものとなっている。
【００３１】
より具体的には、第一係合部（３２１）の前面に階段状部（３２１ａ）が形成されており、この階段状部（３２１ａ）が、上述したように第二係合部（３２２）を先端膨張部（２６１）を軸として回動させた際に第一フランジ部（２５）の裏面および下端面にちょうど当接することになる。
【００３２】
これにより、第一係合部（３２１）と第一フランジ部（２５）との接触面積が増加するため、係合効果がより向上して、一層しっかりとした取付けを実現することができるのである。
【００３３】
図３および図４は、各々、この出願の発明のさらに別の一実施形態を示したものであり、図３は上記図１の実施形態に手を加えたもの、図４は上記図２の実施形態に手を加えたものである。
【００３４】
これら図３および図４の実施形態では、取付レール（２）が、差込溝（２１）の下端から垂下した第二フランジ部（２７）をさらに有するものとなっており、支持部材（３）が、この第二フランジ部（２７）に係合する係合突部（３７）をさらに有するものとなっている。
【００３５】
より具体的には、第二フランジ部（２７）は、差込溝（２１）の開口下端からある程度下方に延びた平板状のもので、取付レール（２）を壁仕上材（１２）（１３）間に挟設する際に下方の壁仕上材（１３）の前方上端縁に引っ掛かるようにもなっている。また係合突部（３７）は、上述したように支持部材（３）を取付レール（２）に取り付けた際に、より具体的には第二係合部（３２２）を先端膨張部（２６１）を軸として回動させた際に、第二フランジ部（２７）と係合するように本体（３１）の後面から後方に突出して設けられている。
【００３６】
これにより、上述したとおりの差込片（３２）の係合効果および壁当て（３３）の当接効果と、さらにこの第二フランジ部（２７）および係合突部（３７）との係合効果とが相まって、さらなる強固な取付けが実現され、耐震性のさらなる向上が図られることになる。
【００３７】
図５および図６は、各々、この出願の発明のさらに別の一実施形態を示したものであり、図５は支持部材（３）の回動後の状態、図６は支持部材（３）の回動状態を示したものである。
【００３８】
これら図５および図６の実施形態では、取付レール（２）の第一フランジ部（２５）が、その内側に内方に傾斜したかかり面（２５１）を有するものとなっており、支持部材（３）の第一係合部（３２１）は、このかかり面（２５１）に当接する面を有するものとなっている。より具体的には、第一係合部（３２１）の当接面（３２１ｂ）は、かかり面（２５１）と同じ傾斜角で傾斜した面形状を有しており、本実施形態では、前述した階段状部（３２１ａ）における第一フランジ部（２５）のかかり面（２５１）と当接する部分がこのように傾斜した当接面（３２１ｂ）となっている。
【００３９】
これにより、前述したように第一係合部（３２１）が第一フランジ部（２５）に係合する際に、当接面（３２１ｂ）がかかり面（２５１）に当接して互いにかかり合うので、耐震性がさらに一層向上することになる。
【００４０】
またさらに、本実施形態では、取付レール（２）の第二フランジ部（２７）が、その下端に外方に下がり傾斜したかかり面（２７１）を有するものとなっており、支持部材（３）の係合突部（３７）が、このかかり面（２７１）に当接する上端面を有するものとなっている。より具体的には、係合突部（３７）上端の当接面（３７１）は、かかり面（２７１）と同じ傾斜角で傾斜した面形状を有している。傾斜角度は、たとえば４度くらいまでが好ましいが、３度にすると嵌合がよりしやすいとともに強固な嵌合効果が得られるため最も好ましいと考えられる。
【００４１】
これにより、前述したように係合突部（３７）が第二フランジ部（２７）に係合する際に、当接面（３７１）がかかり面（２７１）に当接して互いにかかり合うので、第二フランジ部（２７）の下端面および係合突部（３７）の上端面が水平形状となっている場合よりも（図３および図４参照）、さらに強固な係合が得られ、耐震性がさらにまた一層向上することになる。もちろん、上記第一係合部（３２１）の当接面（３２１ｂ）および第一フランジ部（２５）のかかり面（２５１）のかかり合い効果との相乗効果により、耐震性向上は著しいものとなる。
【００４２】
なお、本実施形態では、取付レール（２）の差込溝（２１）の奥壁面が、支持部材（３）の第一係合部（３２１）が回動係合しやすいように曲面状となっている。
【００４３】
図７および図８は、各々、この出願の発明のさらに別の一実施形態を示したものであり、図７は上記図１の実施形態に手を加えたもの、図８は上記図２の実施形態に手を加えたものである。
【００４４】
これら図７および図８の実施形態では、支持部材（３）の第一係合部（３２１）が、取付レール（２）の第一フランジ部（２５）に係合された状態において当該第一フランジ部（２５）を押える押え金具（３８）をさらに有するものとなっている。
【００４５】
より具体的には、押え金具（３８）は、第一係合部（３２１）に取り付けられる後方に延びた取付片（３８１）と第一フランジ部（２５）を押える上方に延びた押え片（３８２）とを有し、前述したように第一係合部（３２１）が第一フランジ部（２５）に係合された後、前方から取付片（３８１）が第一係合部（３２１）に取り付けられて押え片（３８２）が第一フランジ部（２５）の前面を第一係合部（３２１）に対して押えるようになっている。もちろんこの押え金具（３８）は、第一係合部（３２１）に対して着脱自在でもある。
【００４６】
これによれば、さらなる強固な取付けが可能になり、耐震性の向上を図ることができる。
【００４７】
また図９および図１０は、各々、この出願の発明のさらに別の一実施形態を示したものであり、図９は上記図１の実施形態に手を加えたもの、図１０は上記図２の実施形態に手を加えたものである。
【００４８】
これら図９および図１０の実施形態では、取付レール（２）の第一フランジ部（２５）が、支持部材（３）の第一係合部（３２１）に係合された状態において当該第一係合部（３２１）を押える押え金具（２８）をさらに有するものとなっている。
【００４９】
より具体的には、押え金具（２８）は、第一フランジ部（２５）に設けられた押え金具用溝（２５２）に取り付けられる後方に突出した取付突部（２８１）と第一係合部（３２１）を押える下方に延びた押え片（２８２）とを有し、前述したように第一係合部（３２１）が第一フランジ部（２５）に係合された後、前方から取付突部（２８１）が第一フランジ部（２５）の押え金具用溝（２５２）に取り付けられて押え片（２８２）が第一係合部（３２１）の前面を押えるようになっている。なお、図９の実施形態では、押え片（２８２）が第一係合部（３２１）の前面に接するように、後方に突出した面当て（２８３）が設けられてもいる。もちろんこの押え金具（２８）は、第一フランジ部（２５）に対して着脱自在でもあり、取付けも簡便である。
【００５０】
これによれば、上記図８および図９の実施形態と同様に、さらなる強固な取付けが可能になり、耐震性の向上を図ることができる。
【００５１】
図１１は、前述した図２の実施形態の耐震性能評価の結果を示したものである。
【００５２】
この図１１に例示したように、被取付物（４）として図示した家具（左側は幅３００ｍｍ／重さ３３０ｇのハンガーボード、右側は幅４５０ｍｍ／重さ７００ｇの子棚）を取り付けた状態で、周波数１．７Ｈｚ／加速度１０００ｇａｌの横揺れを３分間加えたとき、従来例は左側の家具の場合では加速度９００ｇａｌで吊り物が有る無しに関わらず外れてしまい、右側の家具の場合では収納物なしのときに浮上る現象が生じたが、この出願の発明の上記実施形態では、いずれの場合にも落下も浮上りも生じなかった。
【００５３】
もちろん、被取付物（４）としては、これら耐震性能評価で用いたもの以外にも、小物入れ、ペーパータオルホルダーなど様々な家具が考慮できる。
【００５４】
この出願の発明は以上の実施形態に限定されるものではなく、細部については様々な態様が可能であることは言うまでもない。
【産業上の利用可能性】
【００５５】
以上詳しく説明した通り、この出願の発明によって、棚等の家具を代表とする被取付物を壁面に取付け支持する支持部材の、壁に設けられた取付レールに対する差込み箇所が確認しやすく、また人や物が触れたり地震等の揺れが生じたりしても支持部材および被取付物の落下や位置ずれを効果的に防ぐことのできる、新しい壁面取付構造が提供される。
【図面の簡単な説明】
【００５６】
【図１】この出願の発明の一実施形態を示した断面図である。
【図２】この出願の発明の別の一実施形態を示した断面図である。
【図３】この出願の発明のさらに別の一実施形態を示した断面図である。
【図４】この出願の発明のさらに別の一実施形態を示した断面図である。
【図５】この出願の発明のさらに別の一実施形態を示した断面図である。
【図６】この出願の発明のさらに別の一実施形態を示した断面図である。
【図７】この出願の発明のさらに別の一実施形態を示した断面図である。
【図８】この出願の発明のさらに別の一実施形態を示した断面図である。
【図９】この出願の発明のさらに別の一実施形態を示した断面図である。
【図１０】この出願の発明のさらに別の一実施形態を示した断面図である。
【図１１】図２の実施形態の耐震性能評価の結果を説明するための図である。
【符号の説明】
【００５７】
１  壁
１１  壁下地材
１２、１３  壁仕上材
１２１、１３１嵌挿孔
２  取付レール
２１  差込溝
２１１  上壁面
２２、２３  嵌挿突部
２４  固定立片
２５  第一フランジ部
２５１  かかり面
２５２  押え金具用溝
２６  軸支持部
２６１  先端膨張部
２７  第二フランジ部
２７１  かかり面
２８  押え金具
２８１  取付突部
２８２  押え片
２８３  面当て
３  支持部材
３１  本体
３２  差込片
３２１  第一係合部
３２１ａ  階段状部
３２１ｂ  当接面
３２２  第二係合部
３３  壁当て
３４  押え板片
３５  嵌挿突部
３６  支持片
３７  係合突部
３７１  当接面
３８  押え金具
３８１  取付片
３８２  押え片
４  被取付物
４１  嵌挿孔
５  固定ネジ
【図１】
2005040449.tif 000003
【図２】
2005040449.tif 000004
【図３】
2005040449.tif 000005
【図４】
2005040449.tif 000006
【図５】
2005040449.tif 000007
【図６】
2005040449.tif 000008
【図７】
2005040449.tif 000009
【図８】
2005040449.tif 000010
【図９】
2005040449.tif 000011
【図１０】
2005040449.tif 000012
【図１１】
2005040449.tif 000013